(57)【要約】【課題】被検者の呼気を計測する精度の低下を抑制しつつ、患者の負荷を減らすことが可能なマスクを提供する。【解決手段】被検者の顔面に装着されるマスク１０であって、被検者の顔面の一部を覆った状態で内部空間Ｓを区画するマスク本体部２０と、内部空間Ｓの内部に配置された状態で被検者の鼻Ｎを覆うカップ状の鼻カップ５０と、を備え、鼻カップ５０は、被検者の鼻Ｎを覆う第一壁部５１と、被検者の鼻孔の下方に配置される第二壁部５２と、被検者の鼻Ｎからの呼気を呼気センサ１３に導く呼気排出部６１と、を有し、鼻カップ５０が被検者の鼻Ｎを覆った状態で、被検者の鼻Ｎからの呼気の少なくとも一部は、第二壁部５２によって呼気排出部６１に向けて案内される。【選択図】図２
2018130181.tif 000002
【特許請求の範囲】
【請求項１】
被検者の顔面に装着されるマスクであって、
前記被検者の顔面の一部を覆った状態で内部空間を区画するマスク本体部と、
前記内部空間の内部に配置された状態で前記被検者の鼻を覆うカップ状の鼻カップと、
を備え、
前記鼻カップは、
前記被検者の鼻を覆う第一壁部と、
前記被検者の鼻孔の下方に配置される第二壁部と、
前記被検者の鼻からの呼気を呼気センサに導く呼気排出部と、
を有し、
前記鼻カップが前記被検者の鼻を覆った状態で、前記被検者の鼻からの呼気の少なくとも一部は、前記第二壁部によって前記呼気排出部に向けて案内される、
マスク。
【請求項２】
前記呼気排出部は、前記マスク本体部に設けられた開口部に接続されて、前記被検者の鼻からの呼気を、前記内部空間の外に配置された呼気センサに導くように構成されている、
請求項１に記載のマスク。
【請求項３】
前記鼻カップは、前記被検者の口からの呼気が導入される口カップと一体的に形成されており、
前記鼻カップと前記口カップとは、前記第二壁部により互いの内部空間が仕切られており、
前記呼気排出部は、前記被検者の鼻からの呼気および前記被検者の口からの呼気を、前記内部空間の外に配置された呼気センサに導くことが可能である、
請求項１または請求項２に記載のマスク。
【請求項４】
前記鼻カップは、前記内部空間内における前記マスク本体部に対しての位置を調整可能である、
請求項１から請求項３のいずれか一項に記載のマスク。
【請求項５】
前記鼻カップは、前記マスク本体部に取り付け可能な取付部を有しており、
前記取付部は、伸縮可能とされている、
請求項１から請求項４のいずれか一項に記載のマスク。
【請求項６】
前記取付部は、蛇腹形状の部分を有する、
請求項５に記載のマスク。
【請求項７】
前記呼気排出部から排出された呼気を前記呼気センサの検出空間へと導く通気部材を備え、
前記通気部材は、前記マスク本体部の前記開口部に連結されている、
請求項２に記載のマスク。
【請求項８】
前記通気部材は、前記マスク本体部の前記開口部に対して着脱可能である、
請求項７に記載のマスク。
【請求項９】
前記通気部材は、前記呼気センサが支持される支持部を有している、
請求項７または請求項８に記載のマスク。
【請求項１０】
前記呼気排出部と前記通気部材とを連結させるとともに前記被検者の呼気が通過する流路が形成された中継部材を、
備える、
請求項７から請求項９のいずれか一項に記載のマスク。
【請求項１１】
前記流路は、
前記呼気排出部から前記通気部材に向けて前記被検者の呼気が流れる第一流路と、
前記通気部材から前記内部空間に向けて前記被検者の呼気が流れる第二流路と、
を有する、
請求項１０に記載のマスク。
【請求項１２】
前記第一流路と前記第二流路とは互いに並行に配置され、呼気は互いに反対の向きに流れる、
請求項１１に記載のマスク。
【請求項１３】
前記中継部材は、
前記第一流路を区画する円筒部と、
前記円筒部の開口部の一部に形成され、前記円筒部の軸方向に向けて延びる中継壁部と、
を有し、
前記中継部材が前記通気部材に装着された状態で、前記中継壁部は、前記通気部材の内部において前記第一流路と前記第二流路とを区画する、
請求項１１または請求項１２に記載のマスク。
【請求項１４】
前記マスク本体部は、
前記被検者の鼻と口を覆う被覆部と、
前記被覆部と一体的に形成されるとともに弾性変形可能な装着部と、
を有する、
請求項１から請求項１３のいずれか一項に記載のマスク。
【請求項１５】
前記被覆部には、少なくとも一つ以上の孔が設けられている、
請求項１４に記載のマスク。
【請求項１６】
前記マスク本体部に設けられた前記開口部に、酸素供給管が接続される、
請求項２に記載のマスク。
【請求項１７】
前記呼気排出部から排出された呼気を前記呼気センサの検出空間へと導く通気部材を備え、
前記開口部には筒状のジョイント部材を介して前記酸素供給管が連結されており、
前記通気部材は、前記ジョイント部材の内部に配置されている、
請求項１６に記載のマスク。
【請求項１８】
前記第二壁部は、被検者の右鼻孔の下方に配置される部位と、被検者の左鼻孔の下方に配置される部位とが分離して形成されている、
請求項１から請求項１７のいずれか一項に記載のマスク。
【請求項１９】
前記鼻カップ、前記口カップ、前記呼気排出部、前記中継部材、前記通気部材のいずれかの部材から、サンプリングチューブを介してガス測定機へ呼気を提供するように構成された、
請求項１から請求項１８のいずれか一項に記載のマスク。
【請求項２０】
被検者の鼻を覆うカップ状の鼻カップであって、
被検者の鼻を覆う第一壁部と、
被検者の鼻孔の下方に配置される第二壁部と、
被検者の鼻からの呼気を呼気センサに導く呼気排出部と、
を有し、
前記第二壁部は、被検者の右鼻孔の下方に配置される部位と、被検者の左鼻孔の下方に配置される部位とが分離して形成されており、
被検者の鼻からの呼気の少なくとも一部は、前記第二壁部によって前記呼気排出部に向けて案内される、
鼻カップ。
【発明の詳細な説明】
【技術分野】
【０００１】
本発明は、被検者の顔面に装着されるマスクに関する。
【背景技術】
【０００２】
従来、例えば、睡眠時無呼吸症候や呼吸不全の患者の治療に用いられるＣＰＡＰ（持続的気道陽圧法）やＮＰＰＶ（非侵襲的陽圧換気法）の機器に適用可能なマスクとして、特許文献１のマスクが知られている。
【０００３】
特許文献１のマスクでは、被検者の呼気は、被検者の鼻孔に挿入された鼻チューブを介してエアウェイケースに到来して呼気ガス濃度センサの検出部へと導かれる。この構成によれば、鼻からの呼気がマスクの導入口から流れ込む酸素によって希釈されることがないため、従来困難であった陽圧換気下において被検者の呼気のガス濃度を精度よく計測することが可能である。
【先行技術文献】
【特許文献】
【０００４】
【特許文献１】特開２０１１−０３６６４３号公報
【発明の概要】
【発明が解決しようとする課題】
【０００５】
特許文献１の構成では、鼻チューブを用いるため被験者への負荷が少なくない。しかし、鼻チューブを用いないと、被検者の呼気がマスクの導入口から流れ込む酸素によって希釈されてしまい、呼気の状態を正確に計測することができない。
【０００６】
本発明は、被検者の呼気を計測する精度の低下を抑制しつつ、患者の負荷を減らすことが可能なマスクを提供することを目的とする。
【課題を解決するための手段】
【０００７】
本発明にかかるマスクは、
被検者の顔面に装着されるマスクであって、
前記被検者の顔面の一部を覆った状態で内部空間を区画するマスク本体部と、
前記内部空間の内部に配置された状態で前記被検者の鼻を覆うカップ状の鼻カップと、
を備え、
前記鼻カップは、
前記被検者の鼻を覆う第一壁部と、
前記被検者の鼻孔の下方に配置される第二壁部と、
前記被検者の鼻からの呼気を呼気センサに導く呼気排出部と、
を有し、
前記鼻カップが前記被検者の鼻を覆った状態で、前記被検者の鼻からの呼気の少なくとも一部は、前記第二壁部によって前記呼気排出部に向けて案内される。
【０００８】
上記構成によれば、鼻カップの第一壁部および第二壁部により、被検者の鼻からの呼気が、マスクの導入口から流れ込む酸素によって希釈されることを抑制することができる。また、被検者の鼻からの呼気の少なくとも一部は、第二壁部によって呼気排出部に向けて案内されるため、被検者への負荷が高い鼻チューブを用いなくても、呼気センサの検出空間へ呼気を確実に案内することができる。このように、上記構成によれば、被検者の呼気を計測する精度の低下を抑制しつつ、患者の負荷を減らすことが可能なマスクを提供することができる。
【発明の効果】
【０００９】
本発明によれば、被検者の呼気を計測する精度の低下を抑制しつつ、患者の負荷を減らすことが可能なマスクを提供することができる。
【図面の簡単な説明】
【００１０】
【図１】本発明の第一実施形態に係るマスクを被検者の顔面に装着した状態を示す斜視図である。
【図２】本発明の第一実施形態に係るマスクを被検者の顔面に装着した状態を示すマスク本体部を断面視した斜視図である。
【図３】本発明の第一実施形態に係るマスクの断面図である。
【図４】呼気収集カップの正面図である。
【図５】呼気収集カップの側面図である。
【図６】呼気収集カップの断面図である。
【図７】通気部材の後方側から視た斜視図である。
【図８】通気部材の前方側から視た斜視図である。
【図９】通気部材の側面図である。
【図１０】図９におけるＡ−Ａ断面図である。
【図１１】中継部材の斜視図である。
【図１２】被検者の顔面にマスクを装着した状態における呼気等の流れを示すマスクの断面図である。
【図１３】本発明の第二実施形態に係るマスクの断面図である。
【図１４】呼気収集カップの前方側から視た斜視図である。
【図１５】本発明の第三実施形態に係るマスクの断面図である。
【図１６】変形例１の呼気収集カップの断面図である。
【図１７】変形例１の呼気収集カップを上方側から見た図である。
【図１８】変形例２の呼気収集カップの断面図である。
【発明を実施するための形態】
【００１１】
以下、本発明に係るマスクの実施の形態の例を、図面を参照して説明する。
【００１２】
＜第一実施形態＞
図１から図３に示すように、本実施形態に係るマスク１０は、マスク本体部２０と、鼻カップ５０とを備えている。このマスク１０は、例えば、睡眠時無呼吸症候や呼吸不全の患者の治療に用いられるＣＰＡＰ（持続的気道陽圧法）やＮＰＰＶ（非侵襲的陽圧換気法）の機器に適用可能なマスクであり、被検者の顔面に装着される。
【００１３】
マスク本体部２０は、被検者の顔面の一部を覆った状態で内部空間Ｓを区画する。具体的には、マスク本体部２０は、被検者の顔面の鼻Ｎおよび口Ｍを覆うように被検者に装着される。鼻カップ５０は、カップ状に形成されており、マスク本体部２０によって区画される内部空間Ｓの内部に配置される。鼻カップ５０は、被検者の鼻Ｎおよび口Ｍを覆うように、内部空間Ｓの内部で被検者の顔面に装着される。
【００１４】
マスク本体部２０は、被覆部２１と、装着部２２と、を有している。被覆部２１は、例えば、塩化ビニル等の樹脂から形成されたもので、鼻Ｎおよび口Ｍを覆うように、顔面から前方へ向かって全体的に膨出する凹状に形成されている。装着部２２は、被覆部２１の周縁に設けられている。装着部２２は、例えば、ゴムやシリコン等の弾性変形可能な材料からなり、被覆部２１と一体的に形成されている。これにより、マスク本体部２０は、被検者の顔面に装着することで、装着部２２が被検者の顔面に密着される。
【００１５】
マスク本体部２０には、開口部２５が形成されている。この開口部２５は、マスク本体部２０を装着した被検者の鼻Ｎと口Ｍとの間付近に形成されている。この開口部２５には、マスク本体部２０の外面側から通気部材３０が取り付けられて連結されており、この通気部材３０には、呼気センサ１３が支持される。
【００１６】
呼気センサ１３は、呼気中の二酸化炭素濃度を計測するセンサである。呼気センサ１３は、例えば、赤外線光源からなる発光素子を備えた発光部１４と、例えば、フォトダイオードからなる受光素子を備えた受光部１５とを有している。発光部１４と受光部１５とは、隙間をあけて互いに連結されており、これらの発光部１４と受光部１５との間が検出空間１６とされている。発光部１４には、受光部１５との対向面に発光素子が設けられ、受光部１５には、発光部１４との対向面に受光素子が設けられており、発光素子と受光素子は、同一光軸上に対向配置されている。
【００１７】
マスク本体部２０には、開口部２５の上部に、孔２４が設けられている。本例では、６個の孔２４が設けられており、これらの孔２４を介して内部空間Ｓと外部とが連通されている。なお、孔２４は、少なくとも一つ形成されていれば良い。
【００１８】
マスク本体部２０には、酸素供給管１２が接続されている。この酸素供給管１２は、内部空間Ｓ内へ酸素を供給する配管であり、マスク本体部２０を装着した被検者の口Ｍの近傍の導入口１１に接続されている。そして、マスク１０の内部空間Ｓは、酸素供給管１２からの酸素の供給によって陽圧換気下とされている。
【００１９】
鼻カップ５０は、口カップ７０と一体的に形成されて呼気収集カップ６０を構成している。鼻カップ５０は、被検者の鼻Ｎからの呼気を呼気センサ１３に導き、口カップ７０は、被検者の口Ｍからの呼気を呼気センサ１３に導く。
【００２０】
図４から図６に示すように、鼻カップ５０は、被検者の鼻Ｎを覆う第一壁部５１と、被検者の鼻孔の下方に配置される第二壁部５２とを有している。第一壁部５１は、前方へ膨出する凹状に形成されており、第二壁部５２を超えて下方へ延在されている。口カップ７０は、下方へ延在された第一壁部５１と、被検者の鼻孔の下方に配置される第二壁部５２とから構成されている。鼻カップ５０と口カップ７０とは、第二壁部５２により互いの内部空間が仕切られている。鼻カップ５０は、その上方が被検者の鼻Ｎに密着することなく隙間をあけて配置されている。なお、鼻カップ５０は、被検者の鼻に密着する形状としても良い。
【００２１】
鼻カップ５０および口カップ７０を備えた呼気収集カップ６０は、呼気排出部６１を有している。呼気排出部６１は、第一壁部５１に一体的に形成されたもので、前方へ突出する筒状に形成されている。本例の呼気排出部６１は、鼻カップ５０と口カップ７０との境界部分に設けられている。この呼気排出部６１は、中継部材４０を介して通気部材３０に連結されている。呼気排出部６１には、被検者の鼻Ｎからの呼気の少なくとも一部が第二壁部５２によって案内されて送り込まれる。また、呼気排出部６１には、被検者の口Ｍからの呼気の少なくとも一部が第二壁部５２によって案内されて送り込まれる。呼気排出部６１に送り込まれる鼻Ｎおよび口Ｍからの呼気は、中継部材４０を介して、呼気センサ１３が支持された通気部材３０へ導かれる。
【００２２】
鼻カップ５０および口カップ７０を備えた呼気収集カップ６０は、その両側部に、取付部６５を有している。これらの取付部６５は、それぞれ左右に延びる帯状に形成されており、呼気収集カップ６０と一体的に形成されている。取付部６５は、交互に波形に折り返された蛇腹形状の伸縮部６６を有しており、この伸縮部６６において伸縮可能とされている。取付部６５の端部には、取付孔６７が形成されており、この取付孔６７にマスク本体部２０の両側部に形成された取付ピン（図示略）を挿し込むことにより、取付部６５がマスク本体部２０に連結される。これにより、鼻カップ５０および口カップ７０を備えた呼気収集カップ６０がマスク本体部２０に取り付けられる。この取付部６５によってマスク本体部２０に取り付けられた鼻カップ５０および口カップ７０を備えた呼気収集カップ６０は、取付部６５の蛇腹形状の伸縮部６６が伸縮可能であるので、マスク本体部２０に対しての位置を調整可能とされている。例えば、呼気収集カップ６０は、マスク本体部２０に対して近接離間方向（図３中矢印Ｘ方向）へ容易に位置調整することができる。
【００２３】
図７から図１０に示すように、通気部材３０は、一端が開口され、他端が閉塞された呼気流路３１を有する有底筒状に形成されている。この通気部材３０の呼気流路３１が開口された一端側は、下方側に突出する環状に形成された連結部３２とされており、この連結部３２は、マスク本体部２０の開口部２５に嵌合される。この通気部材３０は、開口部２５に対して通気部材３０を挿抜することで、マスク本体部２０に対して着脱可能とされている。
【００２４】
通気部材３０は、支持部３３を有している。支持部３３は、呼気センサ１３を支持する。支持部３３は、呼気流路３１を挟んだ左右の両側に形成された係合凹部３４を有している。係合凹部３４は、上方側が開放したＵ字状に形成されている。それぞれの係合凹部３４内には、呼気流路３１と連通する検出窓部３５が形成されている。
【００２５】
通気部材３０の支持部３３には、その上方側から検出空間１６を下方に向けた呼気センサ１３が装着される。支持部３３に装着される呼気センサ１３は、その検出空間１６内に通気部材３０が嵌め込まれ、発光部１４および受光部１５が係合凹部３４に嵌め込まれる。そして、発光部１４の発光素子および受光部１５の受光素子が、検出窓部３５内に配置され、発光素子および受光素子の光軸が呼気流路３１を通過するように配置される。これにより、呼気センサ１３は、呼気流路３１を流れる被検者の呼気中の二酸化炭素を計測可能とされる。
【００２６】
図１１に示すように、中継部材４０は、円筒状に形成された円筒部４１を有しており、この円筒部４１内が第一流路４２とされている。円筒部４１は、一端側が流入側接合部４３とされ、他端側が流出側接合部４４とされている。流入側接合部４３には、外周側へ張り出す係合フランジ部４５が形成されている。流入側接合部４３は、鼻カップ５０および口カップ７０を備えた呼気収集カップ６０の呼気排出部６１に挿し込まれ、呼気排出部６１に接合される。そして、この流入側接合部４３は、その係合フランジ部４５が呼気排出部６１の縁部に係合されて抜け止めされている。流出側接合部４４は、下方側に突出する環状に形成されており、この流出側接合部４４には、マスク本体部２０の開口部２５に挿し込まれた通気部材３０の連結部３２が嵌合される。
【００２７】
中継部材４０には、通気部材３０との連結側に中継壁部４７が形成されている。この中継壁部４７は、円筒部４１の下部から突出されている。また、中継部材４０は、中継壁部４７の下方に、第二流路４８を有している。この第二流路４８は、円筒部４１と連結部３２とから形成されている。
【００２８】
中継部材４０の第一流路４２には、呼気排出部６１から通気部材３０に向けて被検者の呼気が流れる。また、中継部材４０の第二流路４８には、通気部材３０から内部空間Ｓに向けて被検者の呼気が流れる。このように、第一流路４２と第二流路４８とは互いに並行に配置され、呼気は互いに反対の向きに流れる構造とされている。
【００２９】
次に、上記構成のマスク１０を被検者の顔面に装着した状態での呼気等の流れについて説明する。
【００３０】
図１２に示すように、被検者の顔面に装着されたマスク１０には、酸素供給管１２からマスク本体部２０によって形成された内部空間Ｓ内へ酸素が送り込まれる（図１２中矢印Ａ参照）。
【００３１】
被検者の鼻Ｎからの呼気は、鼻カップ５０の第二壁部５２によって呼気排出部６１に向けて案内される（図１２中矢印Ｂ，Ｃ参照）。また、呼気排出部６１には、被検者の口Ｍからの呼気も導かれる（図１２中矢印Ｄ参照）。そして、鼻Ｎおよび口Ｍからの呼気は、呼気排出部６１で合流され（図１２中矢印Ｅ，Ｆ参照）、中継部材４０の第一流路４２を通して通気部材３０の呼気流路３１へ送り込まれる（図１２中矢印Ｇ参照）。これにより、通気部材３０に支持された呼気センサ１３によって、呼気流路３１を流れる被検者の呼気中の二酸化炭素が計測される。
【００３２】
呼気流路３１に通された呼気は、呼気流路３１の端部で折り返し（図１２中矢印Ｈ参照）、中継部材４０の第二流路４８を通り、マスク本体部２０内の内部空間Ｓに戻される（図１２中矢印Ｉ参照）。
【００３３】
また、マスク本体部２０によって形成された内部空間Ｓ内の空気の一部は、マスク本体部２０に形成された孔２４から外部に流出する。
【００３４】
以上、説明したように、本実施形態に係るマスク１０によれば、被検者の鼻Ｎを覆う第一壁部５１と、被検者の鼻孔の下方に配置される第二壁部５２とを有する鼻カップ５０を備えるので、鼻カップ５０の第一壁部５１および第二壁部５２により、被検者の鼻Ｎからの呼気が、マスク１０の導入口１１から流れ込む酸素によって希釈されることを抑制することができる。また、被検者の鼻Ｎからの呼気の少なくとも一部は、第二壁部５２によって呼気排出部６１に向けて案内されるため、被検者への負荷が高い鼻チューブを用いなくても、呼気センサ１３の検出空間１６へ呼気を確実に案内することができる。このように、上記構成によれば、被検者の呼気を計測する精度の低下を抑制しつつ、被検者の負荷を減らすことが可能なマスク１０を提供することができる。
【００３５】
また、被検者の鼻Ｎに直接挿し入れる鼻チューブが要らないので、被検者の負荷が低減するだけでなく、部品点数も削減でき、取り付け作業の簡易化およびコスト低減を図れる。
【００３６】
これにより、マスク本体部２０によって形成される内部空間Ｓの外に配置された呼気センサ１３に被検者の呼気を円滑に導き、呼気センサ１３によって精度良く計測することができる。
【００３７】
しかも、鼻カップ５０が被検者の口Ｍからの呼気が導入される口カップ７０と一体的に形成され、第二壁部５２によって鼻カップ５０と口カップ７０との内部空間が仕切られているので、被検者の鼻Ｎおよび口Ｍからの呼気を、それぞれ呼気排出部６１を介して呼気センサ１３へ確実に案内することができる。
【００３８】
なお、鼻Ｎの呼気と口Ｍの呼気は、呼気排出部６１を出た後に合流させても良く、また、第二壁部５２の高さ位置を調整することで、呼気排出部６１内、もしくは呼気排出部６１を出る前に合流させても良い。
【００３９】
また、内部空間Ｓにおいて、マスク本体部２０に対する鼻カップ５０の位置が調整可能であるので、鼻カップ５０の被検者に対する位置を調整することができ、被検者の鼻Ｎからの呼気を呼気排出部６１へさらに確実に案内することができる。
【００４０】
しかも、鼻カップ５０は、マスク本体部２０に取り付け可能な取付部６５を有し、取付部６５が伸縮可能とされているので、被検者に鼻カップ５０を装着させる作業が容易となる。
【００４１】
特に、取付部が蛇腹形状の伸縮部６６で容易に伸縮可能とされているので、鼻カップ５０の位置調整がしやすくなり、被検者に鼻カップ５０を装着させる作業が容易となる。
【００４２】
さらに、呼気排出部６１から排出された呼気を、マスク本体部２０の開口部２５に連結された通気部材３０によって、呼気センサ１３の検出空間１６まで確実に案内することができる。
【００４３】
特に、通気部材３０は、マスク本体部２０の開口部２５に対して着脱可能であるので、マスク１０のうち通気部材３０をディスポーザル（使い捨て）用品とすることができる。
【００４４】
また、呼気センサ１３を、通気部材３０の支持部３３に支持させることで、通気部材３０に呼気センサ１３を装着させた状態で、被検者の呼気の状態を計測することが可能となる。
【００４５】
さらに、呼気排出部６１と通気部材３０とを連結させるとともに被検者の呼気が通過する流路が形成された中継部材４０を備えるので、この中継部材４０を介して被検者の呼気を鼻カップ５０から通気部材３０まで確実に案内することができる。
【００４６】
また、中継部材４０の流路は、呼気排出部６１から通気部材３０に向けて被検者の呼気が流れる第一流路４２と、通気部材３０から内部空間Ｓに向けて被検者の呼気が流れる第二流路４８と、を有するので、第一流路４２を介して通気部材３０に案内された呼気は第二流路４８を介してマスク本体部２０の内部空間Ｓへ流れることが可能であり、通気部材３０への流路がマスク本体部２０の内部空間Ｓに向けて開放されたものとなる。このため、通気部材３０の流路の出口が閉じられた構成である場合と比べて、被検者の呼気は通気部材へ流れやすくなり、被検者の呼気を精度良く計測し易くなる。
【００４７】
しかも、第一流路４２と第二流路４８とは互いに並行に配置され、呼気は互いに反対の向きに流れる構造とされているので、中継部材４０を小型の部品で構成することができる。
【００４８】
また、第一流路４２を区画する円筒部４１と、円筒部４１の開口部の一部に形成されて円筒部４１の軸方向に向けて延びる中継壁部４７と、を有する中継部材４０が、通気部材３０に装着された状態で、通気部材３０の内部において第一流路４２と前記第二流路４８とを区画する。このため、さらに、被検者の呼気が通気部材３０へ流れやすくなり、被検者の呼気を精度良く計測し易くなる。
【００４９】
また、マスク本体部２０が、被検者の鼻Ｎと口Ｍを覆う被覆部２１と、被覆部２１と一体的に形成されるとともに弾性変形可能な装着部２２と、を有する。このため、弾性変形可能な装着部２２により、陽圧換気下において被検者の呼気を精度よく計測するとともに、マスク１０の装着時における被検者の負荷を減らすことができる。
【００５０】
しかも、マスク本体部２０の被覆部２１に、孔２４を設けたので、マスク１０の内部空間Ｓに被検者の呼気が充満して、再呼吸の状態が発生することを抑制することができる。
【００５１】
なお、上記実施形態では、呼気の二酸化炭素濃度を計測する呼気センサ１３を設けたが、呼気の計測対象としては、二酸化炭素等のガス濃度だけでなく、呼気の温度なども含むのは勿論である。
【００５２】
また、上記実施形態では、通気部材３０に装着可能な小型の呼気センサ１３を備える場合を例示したが、通気部材３０に接続した配管を通し、据え置き型の大型の計測機器からなる呼気センサ１３へ被検者の呼気を送り込むものでも良い。また、呼気センサ１３を内部空間Ｓ内に配置する構成としても良い。
【００５３】
＜第二実施形態＞
次に、本発明の第二実施形態に係るマスク１０Ａを説明する。第一実施形態では、マスク本体部２０には、通気部材３０が接続される開口部２５と、酸素供給管１２が接続される導入口１１とが、別々に設けられていた（図３参照）。第二実施形態に係るマスク１０Ａでは、一つの開口部２５Ａに対してジョイント部材８０を介して酸素供給管１２と通気部材３０を取り付けることが可能に構成されている。以下、第一実施形態と同一の機能を有する部材については同一の符号を付し、説明を省略する。
【００５４】
図１３，１４に示すように、本実施形態のマスク１０Ａの開口部２５Ａには、ジョイント部材８０が嵌合される。ジョイント部材８０は、円筒状に形成された円筒部８１を有しており、この円筒部８１内が酸素の流路８２とされている。円筒部８１は、一端側が酸素供給管１２と連結される第一連結部８３とされ、他端側が開口部２５Ａに嵌め込まれて連結される第二連結部８４とされている。
【００５５】
円筒部８１の一部には、呼気センサ１３を支持するための凹部８５が形成されている。凹部８５を構成する壁面の一部には、通気部材３０を嵌め込むことが可能な凹部８６が形成されている。通気部材３０は、凹部８６に嵌め込まれた状態で、ジョイント部材８０に支持されることとなる。ジョイント部材８０に通気部材３０が嵌めこまれた状態において、通気部材３０の支持部３３とジョイント部材８０の凹部８５とが協働して、呼気センサ１３を支持する部位として機能する。
【００５６】
マスク本体部２０の外側から、通気部材３０が嵌めこまれた状態のジョイント部材８０が開口部２５Ａに嵌め込まれ、マスク本体部２０の内側から、呼気収集カップ６０と連結された中継部材４０が通気部材３０に嵌め込まれることで、図１３に示された状態となる。
【００５７】
上記構成によれば、被検者の鼻Ｎを覆う第一壁部５１と、被検者の鼻孔の下方に配置される第二壁部５２とを有する鼻カップ５０を備えるので、鼻カップ５０の第一壁部５１および第二壁部５２により、被検者の鼻Ｎからの呼気が、マスク１０Ａの開口部２５Ａから流れ込む酸素によって希釈されることを抑制することができる。また、被検者の鼻Ｎからの呼気の少なくとも一部は、第二壁部５２によって呼気排出部６１に向けて案内されるため、被検者への負荷が高い鼻チューブを用いなくても、呼気センサ１３の検出空間１６へ呼気を確実に案内することができる。このように、上記構成によれば、被検者の呼気を計測する精度の低下を抑制しつつ、被検者の負荷を減らすことが可能なマスク１０Ａを提供することができる。
【００５８】
また、一つの開口部２５Ａに対してジョイント部材８０を介して酸素供給管１２や通気部材３０を取り付けることが可能であるため、取り付け作業の簡易化およびコスト低減を図れる。
【００５９】
＜第三実施形態＞
次に、本発明の第三実施形態に係るマスク１０Ｂを説明する。第二実施形態と第三実施形態との違いは、第三実施形態のマスク１０Ｂでは、呼気収集カップ６０Ａに口カップが設けられていない点である。
【００６０】
図１５に示すように、呼気収集カップ６０Ａを構成する鼻カップ５０Ａは、被検者の鼻Ｎを覆う第一壁部５１と、被検者の鼻孔の下方に配置される第二壁部５２と、を有している。第一壁部５１は、前方へ膨出する凹状に形成されている。鼻カップ５０Ａは、その上方が被検者の鼻Ｎに密着することなく隙間をあけて配置されている。なお、鼻カップ５０Ａは、被検者の鼻に密着する形状としても良い。
【００６１】
呼気収集カップ６０Ａは、呼気排出部６１を有している。呼気排出部６１は、第一壁部５１に一体的に形成されたもので、前方へ突出する筒状に形成されている。被検者の鼻Ｎからの呼気は、第二壁部５２によって、呼気排出部６１の手前に案内されて、呼気排出部６１の内部に送り込まれる。
【００６２】
上記構成によれば、被検者の鼻Ｎを覆う第一壁部５１と被検者の鼻孔の下方に配置される第二壁部５２とを有する鼻カップ５０Ａを備えるので、鼻カップ５０Ａの第一壁部５１と第二壁部５２により、被検者の鼻Ｎからの呼気が、マスク１０Ｂの開口部２５Ａからマスク１０Ｂの内部に流れ込む酸素によって希釈されることを抑制することができる。また、一つの開口部２５Ａに対してジョイント部材８０を介して酸素供給管１２や通気部材３０を取り付けることが可能であるため、取り付け作業の簡易化およびコスト低減を図れる。
【００６３】
＜変形例１＞
図１６〜１７は、呼気収集カップの変形例１を示している。図１６は、呼気収集カップ６０Ｂの縦断面図である。図１７は、呼気収集カップ６０Ｂを上方側から見た図である。図１６〜１７に示す呼気収集カップ６０Ｂと、図４〜６に示した呼気収集カップ６０との違いは、第二壁部５２の形状にある。
【００６４】
呼気収集カップ６０Ｂを構成する鼻カップ５０Ｂでは、第二壁部５２が、右鼻孔用の第二壁部５２ａと左鼻孔用の第二壁部５２ｂとに分離して形成されている（図１７参照）。右鼻孔用の第二壁部５２ａと左鼻孔用の第二壁部５２ｂとは、呼気排出部６１を中心として左右に分かれて配置されている。
【００６５】
右鼻孔用の第二壁部５２ａは、呼気排出部６１から遠い方の端部５３ａにおいて上方に向かって湾曲している。また、左鼻孔用の第二壁部５２ｂは、呼気排出部６１から遠い方の端部５３ｂにおいて上方に向かって湾曲している。
【００６６】
上記の呼気収集カップ６０Ｂの構成によれば、被検者の鼻Ｎの右鼻孔からの呼気は、第二壁部５２ａによって呼気排出部６１に向かって案内されるとともに、左鼻孔からの呼気は、第二壁部５２ｂによって呼気排出部６１に向かって案内され、それらの呼気が呼気排出部６１の開口の入り口の中央付近で合流して出口に向かって流れていく。その結果、被検者の呼気は、呼気センサ１３の検出空間１６まで流れやすくなり、被検者の呼気を更に精度良く計測し易くなる。
【００６７】
＜変形例２＞
図１８は、呼気収集カップの変形例２を示している。図１８に示す呼気収集カップ６０Ｃは、被検者の鼻Ｎを覆う第一壁部５１と、被検者の鼻孔の下方かつ口元Ｍの前方に配置される第二壁部５２ｂと、呼気排出部６１とを有している。呼気排出部６１は、第一壁部５１と第二壁部５２ｂとの間に配置され、それらと一体的に形成されたもので、前方かつ下方へ突出する筒状に形成されている。呼気排出部６１には、被検者の鼻Ｎからの呼気の少なくとも一部が第二壁部５２ｂによって案内されて送り込まれる。また、呼気排出部６１には、被検者の口Ｍからの呼気の少なくとも一部が第二壁部５２ｂによって案内されて送り込まれる。この構成によっても、上述の実施形態や変形例と同様の作用効果を奏する。
【００６８】
本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６９】
例えば、上述の例で説明したマスクは、サイドストリーム形式で呼気中の二酸化炭素濃度を計測するシステムにも適用可能である。このシステムでは、例えば、ガス測定機（図示せず）に接続されたサンプリングチューブを、呼気が通過する経路を有する部材（鼻カップ５０、口カップ７０、呼気排出部６１、中継部材４０、通気部材３０など）に接続して、当該部材およびサンプリングチューブを介して呼気をガス測定機に導く構成を採用し得る。
【符号の説明】
【００７０】
１０：マスク、１３：呼気センサ、１６：検出空間、２０：マスク本体部、２１：被覆部、２２：装着部、２４：孔、２５：開口部、３０：通気部材、３３：支持部、４０：中継部材、４１：円筒部、４２：第一流路、４７：中継壁部、４８：第二流路、５０，５０Ａ，５０Ｂ：鼻カップ、５１：第一壁部、５２：第二壁部、６１：呼気排出部、６５：取付部、７０：口カップ、Ｍ：口、Ｎ：鼻、Ｓ：内部空間、８０：ジョイント部材
【図１】
2018130181.tif 000003
【図２】
2018130181.tif 000004
【図３】
2018130181.tif 000005
【図４】
2018130181.tif 000006
【図５】
2018130181.tif 000007
【図６】
2018130181.tif 000008
【図７】
2018130181.tif 000009
【図８】
2018130181.tif 000010
【図９】
2018130181.tif 000011
【図１０】
2018130181.tif 000012
【図１１】
2018130181.tif 000013
【図１２】
2018130181.tif 000014
【図１３】
2018130181.tif 000015
【図１４】
2018130181.tif 000016
【図１５】
2018130181.tif 000017
【図１６】
2018130181.tif 000018
【図１７】
2018130181.tif 000019
【図１８】
2018130181.tif 000020